(57)【要約】【課題】運転中の節電動作への切換えが容易にできる洗濯機を提供する。【解決手段】通常動作と、この通常動作より電力の消費を抑えた節電動作が実行可能で、各種操作キーを有し、そのうちの特定のキー操作が通常動作の実行中に行われたとき（Ｓ２でＹＥＳ）に、節電動作を実行するように切換える（Ｓ５）ことを特徴とする。  この場合、節電動作専用の操作キーを有し、上記特定のキー操作に代わって、その節電動作専用の操作キーが操作されたときに節電動作を実行するように切換えるものでも良い。【選択図】図１
2013027614.tif 000002
【特許請求の範囲】
【請求項１】
通常動作と節電動作とが実行可能で、各種操作キーを有し、そのうちの特定のキー操作が前記通常動作の実行中に行われたときに、前記節電動作を実行するように切換えることを特徴とする洗濯機。
【請求項２】
節電動作に切換える操作が行われたときに、節電動作を実行する表示をするようにしたことを特徴とする請求項１記載の洗濯機。
【請求項３】
節電動作に切換える操作が行われたときに、残り所要時間の見直しをして、見直した時間の表示するようにしたことを特徴とする請求項１又は２記載の洗濯機。
【請求項４】
残り所要時間の見直しをするときに、残り所要時間の見直しをしていることの表示をするようにしたことを特徴とする請求項３記載の洗濯機。
【請求項５】
節電動作に切換える操作が行われたときに、通常動作を実行するときより表示を暗くするようにしたことを特徴とする請求項１ないし４のいずれかに記載の洗濯機。
【請求項６】
節電動作に切換える操作が行われたときに、通常動作を実行するときより表示を部分的に消去するようにしたことを特徴とする請求項１ないし５のいずれかに記載の洗濯機。
【請求項７】
表示を部分的に消去している状況で、所定のキー操作が行われたときに、表示を元に戻すようにしたことを特徴とする請求項６記載の洗濯機。
【請求項８】
所定のキー操作が行われてより所定時間の経過後には、表示を消去し直すようにしたことを特徴とする請求項７記載の洗濯機。
【請求項９】
節電動作専用の操作キーを有し、特定のキー操作に代わって、その節電動作専用の操作キーが操作されたときに節電動作を実行するように切換えることを特徴とする請求項１ないし８のいずれかに記載の洗濯機。
【発明の詳細な説明】
【技術分野】
【０００１】
本発明の実施形態は洗濯機に関する。
【背景技術】
【０００２】
従来より、洗濯機においては、標準運転以外の内容で運転する場合、運転を開始する前に運転内容を、例えば時間短縮コースなど運転所要時間重視で運転するか、あるいは節約コースなど省エネ重視で運転するか、使用者の意思により設定を変更して運転を行っていた（例えば特許文献１、２参照）。又、運転中に運転内容を変更する場合には、運転を一時停止させた後に、例えば洗い時間、すすぎ回数、脱水時間、乾燥時間を個別に変更して、運転を行っているが、その操作は複雑であり、実行される頻度は少なかった。
【先行技術文献】
【特許文献】
【０００３】
【特許文献１】特開２０１０−２９２７５号公報
【特許文献２】特開２００９−８２５７７号公報
【発明の概要】
【発明が解決しようとする課題】
【０００４】
近年、電力の供給不足から、世間の電力の需要が最大となる時間帯に使用電力を落として運転をする「ピークカット」や、世間の電力の需要が最大となる時間帯を避けて運転をする「ピークシフト」など、節電動作を行いたい場合がある。このような場合に、上記従来のものでは、それらを使用者が簡単に行うことができず、せいぜい運転を停止させるか、電源を切ることなどしかできずして、運転を継続することができなかった。
【０００５】
そこで、運転中の節電動作への切換えが容易にできる洗濯機を提供する。
【課題を解決するための手段】
【０００６】
本実施形態の洗濯機においては、通常動作と節電動作とが実行可能で、各種操作キーを有し、そのうちの特定のキー操作が前記通常動作の実行中に行われたときに、前記節電動作を実行するように切換えることを特徴とする。
この場合、節電動作専用の操作キーを有し、上記特定のキー操作に代わって、その節電動作専用の操作キーが操作されたときに節電動作を実行するように切換えるものでも良い。
【図面の簡単な説明】
【０００７】
【図１】第１の実施形態における動作の切換えに関する制御内容を示すフローチャート
【図２】洗濯機全体の破断側面図
【図３】操作パネルの平面図
【図４】電気的構成のブロック図
【図５】通常動作の実行内容（ａ）と節電動作の実行内容（ｂ）とを示す図
【図６】第２の実施形態を示す図３相当図
【図７】第３の実施形態を、操作前（ａ）と操作後（ｂ）とで示す図３相当図
【図８】第４の実施形態を示す図７相当図
【図９】世間の電力の需要が最大となる時間帯を示すタイムチャート
【図１０】第５の実施形態を第１の操作後（ａ）と第２の操作後（ｂ）とで示す図３相当図
【図１１】第６の実施形態を、残り所要時間の見直し中（ａ）と残り所要時間の見直し後（ｂ）とで示す図３相当図
【図１２】第７の実施形態を示す図７（ｂ）相当図
【図１３】第８の実施形態を示す図７（ｂ）相当図
【図１４】第９の実施形態を示す、図１３相当図（ａ）と図１１（ｂ）相当図（ｂ）
【図１５】第１０の実施形態を示す、図１１（ｂ）相当図（ａ）と図１３相当図（ｂ）
【図１６】表示の切換えに関する制御内容を示すフローチャート
【発明を実施するための形態】
【０００８】
以下、第１の実施形態につき、図１ないし図５を参照して説明する。
まず、図２には、洗濯機（縦軸形洗濯乾燥機）の全体構成を示しており、外箱１を外殻とし、この外箱１の内部に水槽２を、複数本（１本のみ図示）の吊り棒３ａ及びこの吊り棒３ａにそれぞれ装設したスプリング３ｂを主体とする弾性支持機構３により、縦軸状態で揺動可能に弾性支持して配設している。
【０００９】
水槽２は、詳細には有底の円筒状を成すもので、上縁部に環状の水槽カバー４を装着しており、この水槽カバー２ｂに内蓋５を装着している。水槽２の内部には回転槽６を配設しており、この回転槽６も有底の円筒状を成していて、その周側部には脱水兼通風孔７を多数（部分的に図示）形成している。
【００１０】
回転槽６の内下部には撹拌体８を配設しており、水槽２の底部から下方には、モータ９ａを主体とする駆動機構９を配設している。駆動機構９は、洗濯時に回転槽６を制止して撹拌体８を正逆両方向に交互に回転させ、脱水時に回転槽６を撹拌体８と共に一方向に回転させるものである。又、この場合、モータ９ａはアウターロータ形であり、撹拌体８及び回転槽６を直に回転させるようになっている。
【００１１】
このほか、水槽２の底隅部には排水口１０と、この排水口１０に連通する水位検知用のエアトラップ１１を形成しており、これらを排水弁１２を介して排水管１３を連通させている。又、外箱１内の後下部には制御装置１４を配設している。
そして一方、外箱１上にはトップカバー１５を被着しており、このトップカバー１５に洗濯物出入口を開閉する外蓋１６を設けると共に、図３に示す操作パネル１７を設けている。
【００１２】
操作パネル１７は、運転内容表示部であるデジタル表示部１８を中心に、その左側に、複数の水位表示部１９と水位選択操作キー２０とを有し、下方に、洗い行程表示部２１と洗い時間選択操作キー２２、すすぎ行程表示部２３とすすぎ回数選択操作キー２４、脱水行程表示部２５と脱水内容選択操作キー２６、乾燥行程表示部２７と乾燥内容選択操作キー２８、予約設定操作キー２９、及び風呂水使用設定操作キー３０を有し、右側に、外周部にリング状のダイヤル３１ａを一体的に具えるスタート（一時停止）操作キー３１を有し、更にその右側に、洗濯コース表示部３２と洗濯コース設定操作キー３３、洗乾コース表示部３４と洗乾コース設定操作キー３５、及び乾燥コース表示部３６と乾燥コース設定操作キー３７を有し、そして更にその右側に、電源についての切り操作キー３８と入り操作キー３９とを有している。
【００１３】
なお、この場合、デジタル表示部１８はバックライトを有する液晶ディスプレイから成り、水位表示部１９と洗い行程表示部２１、すすぎ行程表示部２３、脱水行程表示部２５、乾燥行程表示部２７、洗濯コース表示部３２、洗乾コース表示部３４、乾燥コース表示部３６は、ＬＥＤ（発光ダイオード）を発光表示の光源としている。
【００１４】
前記制御装置１４は図４にも示している。この制御装置１４は、例えばマイクロコンピュータから成るもので、洗濯機の作動全般を制御する制御手段として機能するようになっている。しかして、この制御装置１４には、前記操作パネル１７が有した各種操作キー２０，２２，２４，２６，２８〜３１，３３，３５，３７〜３９にそれぞれ対応するスイッチ（図示省略）から成る操作入力部４０から各種操作信号が入力され、前記エアトラップ１１と連通して水槽２内の水位を検知するように設けた水位センサ４１からは水位検知信号が、前記モータ９ａの回転速度を検知することで回転槽６の回転速度を検知するように設けた回転速度検知部４２からは回転速度検知信号が、そして、前記外蓋１６の開閉を検知するように設けた蓋開閉センサ４３からは開閉検知信号が入力されるようになっている。
【００１５】
制御装置１４は、それらの入力信号並びにあらかじめ記憶された制御プログラムに基づいて、前記操作パネル１７が有したデジタル表示器１８と、前記ＬＥＤを発光表示の光源とした表示部１９．２１，２３，２５，２７，３２，３４，３６から成る表示出力部４４、給水装置の給水弁４５、前記モータ９ａ、前記排水弁１２、温風供給装置のファン４６、同温風供給装置のヒータ４７を、駆動回路４８を介して制御するようになっている。
【００１６】
なお、給水装置と温風供給装置は前記トップカバー１５の内部（特に後側）に配設され、給水装置は、前記給水弁４５の開放により、前記水槽カバー４に形成した通水口を通じて回転槽６内から水槽２内に給水し、温風供給装置は、上記ファン４６とヒータ４７とで生成した温風を同じく水槽カバー４に形成した通風口を通じて温風を回転槽６内に供給すようになっている。
【００１７】
次に、上記構成の洗濯機の作用を述べる。
図１は、動作の切換えに関する制御装置１４の制御内容を詳細に示しており、最初に「節電動作」の設定があるか否かの判断をする（ステップＳ１）。このステップＳ１で「節電動作」の設定がない（ＮＯ）と判断されれば（洗濯機の最初の使用時や通常の使用では「節電動作」の設定は普通されない）、次に「節電キー」の操作があったか否かの判断をする（ステップＳ２）。このステップＳ２でいう「節電キー」の操作は、この場合、操作パネル１７に「節電設定同時押し」の文字表示４９（図３参照）で示すように、予約設定操作キー２９を押しながら風呂水使用設定操作キー３０を押す、通常では行わない特定のキー操作である。
【００１８】
ステップＳ２で「節電キー」の操作がなかった（ＮＯ）と判断されれば（これも、洗濯機の最初の使用時や通常の使用では「節電キー」の操作は普通されない）、「通常動作」で運転、すなわち、通常動作を実行する（ステップＳ３）。
「通常動作」は、この場合、図５の（ａ）に示すごとくであり、「高」〜「少」の各水位について、「洗濯」のうちの「洗い」及び「すすぎ」の両行程は、撹拌体８の回転を、図示のＯＮ（駆動）とＯＦＦ（休止）の各時間（単位：秒）で交互に繰返すモード、並びに図示の「回転数」と記した各回転速度（単位：ｒｐｍ）で行うものであり、「脱水」の行程は、回転槽６回転を、図示の各回転速度（単位：ｒｐｍ）で行うものである。
【００１９】
又、「乾燥」のうちの「槽回転」の行程は、回転槽６回転を、図示の各回転速度（単位：ｒｐｍ）で行うと共に、ヒータ４７の作動を、図示のＯＮ（発熱）とＯＦＦ（休止）の各時間（単位：秒）で交互に繰返すモード、並びにヒータ４７の出力を、８００〔Ｗ〕と６００〔Ｗ〕の２つある単位ヒータの総合出力（１４００〔Ｗ〕）で行い、更に、ファン４６の回転を、図示の各回転速度（単位：ｒｐｍ）で行うものである。「撹拌」の行程は、撹拌体８の回転を、図示のＯＮ（駆動）とＯＦＦ（休止）の各時間（単位：秒）で交互に繰返すモード、並びに図示の各回転速度（単位：ｒｐｍ）で行うものである。
【００２０】
なお、「洗濯」のうちの「洗い」と「脱水」の行程と「乾燥」のうちの「槽回転」と「撹拌」の行程は、いずれも交互に複数回繰返すものである。
この後、運転が終了であるか否かの判断をし（ステップＳ４）、終了ではない（ＮＯ）と判断されれば、ステップＳ１に戻り、通常はステップＳ１〜Ｓ４を繰返す。
【００２１】
これに対し、ステップＳ１〜Ｓ４を繰返す中（「通常動作」中）のステップＳ２で「節電キー」の操作があった（ＹＥＳ）と判断されれば、「節電動作」で運転、すなわち、節電動作を実行するように切換わる（ステップＳ５）。
【００２２】
「節電動作」は、この場合、図５の（ｂ）に示すごとくであり、「高」〜「少」の各水位について、「洗濯」のうちの「洗い」及び「すすぎ」の両行程は、撹拌体８の回転のＯＮ時間を短くしてＯＦＦ時間を長くし、且つ、各回転速度を低くして行うもので、「脱水」の行程は、回転槽６の各回転速度を低くして行うものであり、すなわち、「通常動作」より電力の消費を抑えた運転を行うものである。又、「乾燥」のうちの「槽回転」の行程は、回転槽６の回転速度を低くし、且つ、ヒータ４７の出力を８００〔Ｗ〕の単位ヒータのみに下げ、ファン４６の回転速度を低くして行うものであり、やはり「通常動作」より電力の消費を抑えた運転を行うものである（「撹拌」の行程は「通常動作」と変わりがない）。すなわち、この場合の「節電動作」は、使用電力を落として運転をする「ピークカット」である。
【００２３】
なお、「節電動作」を実行するように切換わって後は、ステップＳ１では「節電動作」の設定がある（ＹＥＳ）と判断されるので、このときにはステップＳ２を経ずにステップＳ５に進む。
【００２４】
このように上記構成の洗濯機においては、「通常動作」と「通常動作」より電力の消費を抑えた「節電動作」が実行可能で、各種操作キー２０，２２，２４，２６，２８〜３１，３３，３５，３７〜３９を有し、そのうちの予約設定操作キー２９を押しながら風呂水使用設定操作キー３０を押すという特定のキー操作が「通常動作」の実行中に行われたときに、「節電動作」を実行するように切換えるもので、運転中の「節電動作」への切換えを容易に行うことができる。
【００２５】
又、この場合、操作が特定のキー操作であることにより、使用者の意思に確実に合った操作で「節電動作」に切換えることができ、いわゆる操作ミスを防ぐことができる。
以上に対して、図６ないし図１５は第２ないし第９の実施形態を示すもので、それぞれ、第１の実施形態と同一の部分には同一の符号を付して説明を省略し、異なる部分についてのみ述べる。
【００２６】
［第２の実施形態］
図６に示す第２の実施形態においては、節電動作専用の節電設定操作キー５１を操作パネル１７に設けており、第１の実施形態の予約設定操作キー２９を押しながら風呂水使用設定操作キー３０を押す特定のキー操作に代わり、この節電設定操作キー５１を単独に操作することで「節電動作」を実行するように切換える構成としている。又、この場合、操作パネル１７に前記「節電設定同時押し」の文字表示４９も設けてはいない。
【００２７】
このようにしても、運転中の「節電動作」への切換えを容易に行うことができる。又、その操作自体、節電動作専用の節電設定操作キー５１を操作するだけであるので容易であるし、他の操作キーと節電設定操作キー５１との区別も明確であるので、操作ミスを防ぐこともできる。
【００２８】
［第３の実施形態］
図７に示す第３の実施形態においては、「節電動作」に切換える操作が行われたときに、「節電動作」を実行する表示をするようにしている。具体的には、この場合、操作パネル１７のデジタル表示部１８に、操作前（ａ）から操作後（ｂ）の変化で明らかなように、「節電」の文字表示６１を点滅させて表示させている。
このようにすることにより、動作が切換わったことの認識を使用者がしやすくでき、運転中でも、「節電動作」が実行されていることの認識を使用者がしやすくできる。
【００２９】
加えて、この場合、「洗い」の行程の所要時間を、操作前（ａ）の「１２分」から操作後（ｂ）の「１５分」に変更（３〔分〕延長）して表示している。又、「節電動作」は、前述のように「乾燥」の「槽回転」の行程でヒータ４７の出力を下げるため、乾燥所要時間が長くかかるものであり、その延長分を上記「洗い」の行程の延長時間を含む運転全部の残り所要時間に加えるため、残り所要時間の表示が「２:４０」から「４：１０」へと大きくなっている。すなわち、この場合には、「節電動作」に切換える操作が行われたときに、残り所要時間の見直しをして、見直した時間の表示をするようにもしている。
このようにすることにより、切換わった「節電動作」での残り所要時間の把握を使用者が容易にできる。
【００３０】
なお、このような表示は「節電動作」を実行する前に行うもので、その後、「節電動作」を実行する際には、スタート操作キー３１の操作を条件にして「節電動作」を実行するようにすると、使用者が「節電動作」の表示を視認した上で「節電動作」が実行できるようになるので、好ましい。
又、その場合、スタート操作キー３１の操作を例えば１０〔秒〕間など所定時間待ち、その所定時間内にスタート操作キー３１の操作が行わなければ、使用者には「節電動作」の実行の意思がないと見て「通常動作」を実行するようにしても良い。
【００３１】
［第４の実施形態］
図８に示す第４の実施形態においては、「節電動作」が、世間の電力の需要が最大となる時間帯を避けて運転をする「ピークシフト」であり、「節電動作」に切換える操作が行われたときに、操作前（ａ）から操作後（ｂ）の変化で明らかなように、「ピークシフト」を実行する表示をするようにしている。
【００３２】
ここで、図９は、世間の電力の需要が最大となる時間帯を具体的に示しており、1日のうちの１０：００〜１６：００の時間帯が電力の需要が最大（ピーク）となることを示している。「ピークシフト」は、運転をそのピークの時間帯を避けて行うように切換えるものであり、一例として、現在時刻が１３：００であり、このときに運転を行っていて、「節電動作」に切換える操作をした場合、運転は上記ピークの時間帯を避ける関係上、停止して、３時間後の１６：００に再開する。従って、この場合、操作パネル１７のデジタル表示部１８には、図８の操作前（ａ）から操作後（ｂ）の変化で明らかなように、「節電待機中」の文字表示７１を点滅させて表示させ、そして、運転開始までの案内として、「３:００」の待ち時間表示と「経過後運転再開」の文字表示７２を表示させている（図８の操作前（ａ）における「残り（約）」の文字表示は消去している）。
【００３３】
「節電動作」が「ピークシフト」であるときには、このように表示をすることで、使用者に「節電動作」が実行されていることの認識をさせることができ、且つ、切換わった「節電動作」が再開されるまでの残り待ち時間の把握を使用者が容易にできる。
【００３４】
［第５の実施形態］
図１０に示す第５の実施形態においては、「節電動作」が上述の「ピークシフト」で、「通常動作」を実行しているときに、一時停止キー３１を操作することにより、同図の（ａ）に示すように、「ピークシフト」を実行する表示をし、運転を停止するようにしている。なお、再度一時停止キー３１を操作すれば、「通常動作」が再開される。
【００３５】
上記「ピークシフト」を実行する表示の「３:００」の待ち時間は、この場合、上記第４の実施形態の、電力の需要が最大となる時間帯に対して現在時刻から算出した時間ではなく、固定の標準時間（３時間）であり、上記「通常動作」を実行しているときの一時停止キー３１操作後の所定時間（例えば３０〔秒〕）の間は、ダイヤル３１ａを回転操作することで、待ち時間の設定が任意に変更可能としている。一例としてその３時間から８時間の間で例えば１時間ごとに変更できるようにしており、同図の（ｂ）は、待ち時間が３時間（「３:００」）から５時間（「５：００」）に変更設定された例を示している。この設定時間の変更が可能な間は、表示時間（例えば「３：００」や「５：００」）は点滅する。
【００３６】
そして、設定時間の変更が可能な時間（例えば３０〔秒〕）が経過すると、ダイヤル３１ａの操作は無効となり、待ち時間の設定はできなくなるが、予約設定操作キー２９を操作すれば、再度ダイヤル３１ａの操作で待ち時間の設定ができるようになる。
この後、設定時間が経過すれば、運転を再開する。
【００３７】
［第６の実施形態］
図１１に示す第６の実施形態においては、第３の実施形態で記載した残り所要時間の見直しをするときに、残り所要時間の見直しをしていることの表示をするようにしている。具体的には、この場合、残り所要時間の見直しをしている間は、同図の（ａ）に示すように、操作パネル１７のデジタル表示部１８に、「節電見直し中」の文字表示８１を点滅させて表示させるようにしている。又、この場合、残り所要時間の見直しが完了すれば、同図の（ｂ）に示すように、操作パネル１７のデジタル表示部１８に、前記「節電」の文字表示６１を点滅させて表示させると共に、見直した時間（「４：１０」）の表示をするようにしている。併せて、デジタル表示部１８には、「洗い」の行程の所要時間を、操作前（ａ）の「１２分」から操作後（ｂ）の「１５分」に変更して表示している。
このようにすることにより、残り所要時間の見直しをしている際に、それの認識が使用者に容易にできる。
【００３８】
［第７の実施形態］
図１２に示す第６の実施形態においては、「節電動作」に切換える操作が行われたときに、「通常動作」を実行するときより表示を暗くするようにしている。具体的には、この場合、デジタル表示部１８のバックライトを暗くすると共に、水位表示部１９も暗くするようにしている（図はそれらを便宜的に斜線で表している）。
このようにすることにより、「節電動作」が実行されることの認識が使用者に容易にできる上、使用電力の節減にも効果があり、且つその使用電力の節減をしていることの認識が使用者にさせることができる。
【００３９】
［第７の実施形態］
図１３に示す第７の実施形態においては、「節電動作」に切換える操作が行われたときに、「通常動作」を実行するときより表示を部分的に消去するようにしている。具体的には、この場合、図１２との比較で明らかなように、デジタル表示部１８の「洗い」の行程の所要時間と、「すすぎ」の行程の回数、「脱水」の行程の実行内容、「乾燥」の実行内容、行程表示部分とコース表示部分との境界線、及び「風呂水使用」の設定内容の各表示を消去している。併せて、デジタル表示部１８のバックライトを暗くすると共に、水位表示部１９も暗くするようにもしているが、これらは必ずしも必要なことではない。
【００４０】
このようにしても、「節電動作」が実行されることの認識が使用者に容易にできるし、使用電力の節減にも効果があり、且つその使用電力の節減をしていることの認識が使用者にさせることができる。
【００４１】
［第８の実施形態］
図１４に示す第８の実施形態においては、第７実施例の、表示を部分的に消去している状況で、所定のキー操作が行われたときに、表示を元に戻すようにしている。これも、具体的には、図１４の（ａ）に示すように表示を部分的に消去している状況で、節電設定操作キー５１の操作が行われたときに、同図の（ｂ）に示すように表示を元（「節電動作」を実行する表示）に戻すようにしている。又、この場合、デジタル表示部１８のバックライトを明るく戻すと共に、水位表示部１９も明るく戻すようにもしているが、これらは必ずしも必要なことではない。
このようにすることにより、表示を部分的に消去している状況で「節電動作」の実行内容を使用者が確認したいときに、それが所望にできる。
【００４２】
［第９の実施形態］
図１５及び図１６に示す第９の実施形態においては、第８実施例の所定のキー操作が行われてより所定時間の経過後には、表示を消去し直すようにしている。具体的には、図１５の（ａ）に示すように節電設定操作キー５１の操作によって表示を元（「節電動作」を実行する表示）に戻した状態から、例えば１０〔秒〕の経過後には、図１５の（ｂ）に示すように表示を消去し直すようにしている。
このようにすることにより、使用電力を節減する表示に自動で移行させることができる。
【００４３】
図１６は如上の表示の切換えに関する制御装置１４の制御内容を詳細に示しており、最初に「節電動作」の設定があるか否かの判断をする（ステップＳ１０１）。このステップＳ１０１で「節電動作」の設定がない（ＮＯ）と判断されれば、「通常動作」を実行する表示をする（ステップＳ１０２）。
【００４４】
一方、ステップＳ１０１で「節電動作」の設定がある（ＹＥＳ）と判断されれば、次に節電設定操作キー５１の操作があったか否かの判断をし（ステップＳ１０３）、節電設定操作キー５１の操作がなかった（ＮＯ）と判断されれば、図１４の（ａ）に示した、表示を部分的に消去する「節電動作」表示状態とする（ステップＳ１０４）。この後、表示（運転）が終了であるか否かの判断をし（ステップＳ１０５）、終了ではない（ＮＯ）と判断されれば、ステップＳ１０１に戻り、終了である（ＹＥＳ）と判断されれば、表示（運転）を終了する。
【００４５】
これに対して、ステップＳ１０３で節電設定操作キー５１の操作があった（ＹＥＳ）と判断されれば、節電表示のタイマをセット（この場合、１０〔秒〕）し（ステップＳ１０６）、次いで、前記図１５の（ａ）に示した、全表示をする「節電動作」表示状態に戻し（ステップＳ１０７）、その後に、ステップＳ１０６でセットしたタイマ時間が満了したか（０になったか）否かの判断をし（ステップＳ１０８）、満了していない（ＮＯ）と判断されれば、ステップＳ１０７に戻るが、満了した（ＹＥＳ）と判断されれば、ステップＳ１０４に進む。すなわち、図１５の（ｂ）に示したように、表示を部分的に消去する「節電動作」表示状態に戻る。
【００４６】
又、前記ステップＳ１０２の後もステップＳ１０５に進む。
なお、以上の第２ないし第９の実施形態における節電設定操作キー５１の操作は、いずれも第１の実施形態の予約設定操作キー２９を押しながら風呂水使用設定操作キー３０を押す特定のキー操作に変えても良い。又、それとも代え、いずれか１つの操作キーを通常より長く押し続ける操作を、特定のキー操作としても良い。
【００４７】
以上説明した洗濯機は、上記実施形態にのみ限定されるものではなく、要旨を逸脱しない範囲内で適宜変更して実施し得る。
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４８】
図面中、１８はデジタル表示部、２０，２２，２４，２６，２８〜３１，３３，３５，３７〜３９は各種操作キー（２９，３０は特定のキー）、５１は節電動作専用の操作キー（所定のキー）、６１，７１は節電動作を実行する表示、８１は残り所要時間の見直しをしていることの表示を示す。
【図１】
2013027614.tif 000003
【図２】
2013027614.tif 000004
【図３】
2013027614.tif 000005
【図４】
2013027614.tif 000006
【図５】
2013027614.tif 000007
【図６】
2013027614.tif 000008
【図７】
2013027614.tif 000009
【図８】
2013027614.tif 000010
【図９】
2013027614.tif 000011
【図１０】
2013027614.tif 000012
【図１１】
2013027614.tif 000013
【図１２】
2013027614.tif 000014
【図１３】
2013027614.tif 000015
【図１４】
2013027614.tif 000016
【図１５】
2013027614.tif 000017
【図１６】
2013027614.tif 000018
【手続補正書】
【提出日】平成23年8月8日(2011.8.8)
【手続補正１】
【補正対象書類名】特許請求の範囲
【補正対象項目名】請求項３
【補正方法】変更
【補正の内容】
【請求項３】
節電動作に切換える操作が行われたときに、残り所要時間の見直しをして、見直した時間の表示をするようにしたことを特徴とする請求項１又は２記載の洗濯機。